(57)【特許請求の範囲】
【請求項１】
出入口のドアに形成されたピボット穴と、出入口枠に固定された固定体と、固定体側からピボット穴に対し出入可能なピボット軸と、ピボット軸をスライド自在に支持する固定体に形成されたスライド穴と、ピボット軸に連結される固定体に支持されたレバーと、固定体の内側に螺進するときにレバーを介しピボット軸をピボット穴内に突出させ固定体の外側に螺進するときにレバーを介しピボット軸をピボット穴外に離脱させる固定体に螺合したレバー操作ネジとを具備してなるピボット軸操作装置において、レバー操作ネジの操作によりレバーを介しピボット軸をピボット穴内に突出させたときにレバー操作ネジを当該位置にロックするロック手段を備え、このロック手段をロック状態とアンロック状態との間で切換え操作する操作レバーを備え、ロック状態時にこの操作レバーでレバー操作ネジの頭部を遮蔽するようにしたことを特徴とするピボット軸操作装置。
【請求項２】
出入口のドアに形成されたピボット穴と、出入口枠に固定された固定体と、固定体側からピボット穴に対し出入可能なピボット軸と、ピボット軸をスライド自在に支持する固定体に形成されたスライド穴と、ピボット軸に連結される固定体に支持されたレバーと、固定体の内側に螺進するときにレバーを介しピボット軸をピボット穴内に突出させ固定体の外側に螺進するときにレバーを介しピボット軸をピボット穴外に離脱させる固定体に螺合したレバー操作ネジとを具備してなるピボット軸操作装置において、レバー操作ネジの操作によりレバーを介しピボット軸をピボット穴内に突出させたときにレバー操作ネジを当該位置にロックするロック手段を備え、上記レバー操作ネジを上記固定体の内側へ螺進させた時にロック手段をアンロック状態からロック状態へと自動的に移行させる弾性体を備えたことを特徴とするピボット軸操作装置。
【請求項３】
出入口のドアに形成されたピボット穴と、出入口枠に固定された固定体と、固定体側からピボット穴に対し出入可能なピボット軸と、ピボット軸をスライド自在に支持する固定体に形成されたスライド穴と、ピボット軸に連結される固定体に支持されたレバーと、固定体の内側に螺進するときにレバーを介しピボット軸をピボット穴内に突出させ固定体の外側に螺進するときにレバーを介しピボット軸をピボット穴外に離脱させる固定体に螺合したレバー操作ネジとを具備してなるピボット軸操作装置において、レバー操作ネジの操作によりレバーを介しピボット軸をピボット穴内に突出させたときにレバー操作ネジを当該位置にロックするロック手段を備え、このロック手段が、上記固定体上における上記レバー操作ネジの近傍に配置されたロック片と、ロック片をロック位置とアンロック位置との間で切換え操作する操作軸とを具備し、この操作軸は、上記固定体上に上記レバー操作ネジと平行に穿設された軸穴に回動可能に支持され、上記操作軸の上記固定体を上方向に貫通した箇所に上記ロック片が固定され、上記レバー操作ネジに環状溝が形成され、上記操作軸がロック位置へと回動操作されると、上記ロック片が上記環状溝に入り込み、上記操作軸がアンロック位置へと回動操作されると、上記ロック片が上記環状溝から離脱するようにしたことを特徴とするピボット軸操作装置。
【請求項４】
出入口のドアに形成されたピボット穴と、出入口枠に固定された固定体と、固定体側からピボット穴に対し出入可能なピボット軸と、ピボット軸をスライド自在に支持する固定体に形成されたスライド穴と、ピボット軸に連結される固定体に支持されたレバーと、固定体の内側に螺進するときにレバーを介しピボット軸をピボット穴内に突出させ固定体の外側に螺進するときにレバーを介しピボット軸をピボット穴外に離脱させる固定体に螺合したレバー操作ネジとを具備してなるピボット軸操作装置において、レバー操作ネジの操作によりレバーを介しピボット軸をピボット穴内に突出させたときにレバー操作ネジを当該位置にロックするロック手段を備え、このロック手段が、上記レバー下における上記固定体上に配置されたスライドバーと、このスライドバーの他端に設けられた操作片とを具備し、上記レバー操作ネジに環状溝が形成され、上記操作片は上記固定体に穿設された窓穴内に突出し、上記操作片がロック位置へと操作されると、上記スライドバーが一方にスライドして上記環状溝に入り込み、上記操作片がアンロック位置へと操作されると、上記スライドバーが他方にスライドして上記環状溝から離脱するようにしたことを特徴とするピボット軸操作装置。
【請求項５】
出入口のドアに形成されたピボット穴と、出入口枠に固定された固定体と、固定体側からピボット穴に対し出入可能なピボット軸と、ピボット軸をスライド自在に支持する固定体に形成されたスライド穴と、ピボット軸に連結される固定体に支持されたレバーと、固定体の内側に螺進するときにレバーを介しピボット軸をピボット穴内に突出させ固定体の外側に螺進するときにレバーを介しピボット軸をピボット穴外に離脱させる固定体に螺合したレバー操作ネジとを具備してなるピボット軸操作装置において、レバー操作ネジの操作によりレバーを介しピボット軸をピボット穴内に突出させたときにレバー操作ネジを当該位置にロックするロック手段を備え、このロック手段が、上記固定体上におけるレバーの近傍に配置されたロックレバーと、このロックレバーをロック位置とアンロック位置との間で切換え操作する操作片とを具備し、上記ロックレバーは、上記固定体に枢支され、上記レバー操作ネジに環状溝が形成され、上記操作片は上記固定体に穿設された窓穴内に突出し、上記操作片がロック位置へと操作されると、上記ロックレバーが一方に回動して上記環状溝に入り込み、上記操作片がアンロック位置へと操作されると、上記ロックレバーが他方に回動して上記環状溝から離脱するようにしたことを特徴とするピボット軸操作装置。
【請求項６】
請求項１乃至請求項５のいずれかに記載のピボット軸操作装置において、ロック手段がロック状態とアンロック状態のいずれにあるかを表示する表示手段を備えたことを特徴とするピボット軸操作装置。
【発明の詳細な説明】
【０００１】
【発明の属する技術分野】
本発明は、ピボットヒンジに用いられるピボット軸操作装置に関する。
【０００２】
【従来の技術】
建築物における出入口のドアは壁等と一体の出入口枠にピボットヒンジを介して取り付けられる場合がある。特開２００１−９０４２５はピボットヒンジの一例について開示する。このピボットヒンジは、次のような構成のピボット軸操作装置を備えている。すなわち、出入口のドアに形成されたピボット穴と、出入口枠に固定された固定体と、固定体側からピボット穴に対し出入可能なピボット軸と、ピボット軸をスライド自在に支持する固定体に形成されたスライド穴と、ピボット軸に連結される固定体に支持されたレバーと、固定体の内側に螺進するときにレバーを介しピボット軸をピボット穴内に突出させ固定体の外側に螺進するときにレバーを介しピボット軸をピボット穴外に離脱させる固定体に螺合したレバー操作ネジとを具備している。レバー操作ネジを一方に回して固定体の内側へと螺進させると、レバーが一方の向きに回動してピボット軸をピボット穴内に侵入させる。これにより、ピボットヒンジが結合し、ドアはピボット軸を支点にして開閉可能になる。また、レバー操作ネジを逆向きに回して固定体の外側に螺進させると、レバーが他方の向きに回動してピボット軸をピボット穴から離脱させる。これにより、ピボットヒンジが分離され、ドアは出入口枠から取り外し可能になる。
【０００３】
【発明が解決しようとする課題】
従来のレバー操作ネジのネジ穴は、例えば、特開２００１−９０４２５に開示されるように、ドアが出入口枠に取り付けられた後は、化粧板によって完全に遮蔽される。そのため、一旦ドアの取り付け工事が完了した後は、レバー操作ネジの締め付け具合、レバー操作ネジの存否等について確認することができない。
【０００４】
本発明の目的は、レバー操作ネジの締め付け具合、レバー操作ネジの存否等を簡易に確認することができ、また修理等に際しドアを出入口枠から簡易かつ迅速に外すことができ、しかもレバー操作ネジの誤操作を防止することができるピボット軸操作装置を提供することにある。
【０００５】
【課題を解決するための手段】
上述した課題を解決するために、請求項１に係る発明は、出入口のドア（１）に形成されたピボット穴（２）と、出入口枠（３）に固定された固定体（４）と、固定体（４）側からピボット穴（２）に対し出入可能なピボット軸（５）と、ピボット軸（５）をスライド自在に支持する固定体（４）に形成されたスライド穴（６）と、ピボット軸（５）に連結される固定体（４）に支持されたレバー（７）と、固定体（４）の内側に螺進するときにレバーを介しピボット軸（５）をピボット穴（２）内に突出させ固定体（４）の外側に螺進するときにレバー（７）を介しピボット軸（５）をピボット穴（２）外に離脱させる固定体（４）に螺合したレバー操作ネジ（８）とを具備してなるピボット軸操作装置において、レバー操作ネジ（８）の操作によりレバー（７）を介しピボット軸（５）をピボット穴（２）内に突出させたときにレバー操作ネジ（８）を当該位置にロックするロック手段（３０）を備え、このロック手段をロック状態とアンロック状態との間で切換え操作する操作レバー（３９）を備え、ロック状態時にこの操作レバー（３９）でレバー操作ネジ（８）の頭部を遮蔽するようにしたピボット軸操作装置を採用する。
【０００６】
また、請求項２に係る発明は、出入口のドア（１）に形成されたピボット穴（２）と、出入口枠（３）に固定された固定体（４）と、固定体（４）側からピボット穴（２）に対し出入可能なピボット軸（５）と、ピボット軸（５）をスライド自在に支持する固定体（４）に形成されたスライド穴（６）と、ピボット軸（５）に連結される固定体（４）に支持されたレバー（７）と、固定体（４）の内側に螺進するときにレバーを介しピボット軸（５）をピボット穴（２）内に突出させ固定体（４）の外側に螺進するときにレバー（７）を介しピボット軸（５）をピボット穴（２）外に離脱させる固定体（４）に螺合したレバー操作ネジ（８）とを具備してなるピボット軸操作装置において、レバー操作ネジ（８）を固定体（４）の内側へ螺進させた時にロック手段（３０）をアンロック状態からロック状態へと自動的に移行させる弾性体（２６）を備えたピボット軸操作装置を採用する。
【０００７】
また、請求項６に係る発明は、請求項１乃至請求項５のいずれかに記載のピボット軸操作装置において、ロック手段がロック状態とアンロック状態のいずれにあるかを表示する表示手段（３６，３７）を備えたピボット軸操作装置を採用する。
【０００９】
【発明の実施の形態】
以下、本発明に係るピボット軸操作装置の実施の形態について添付図面を参照して説明する。
＜実施の形態１＞
図１に示すように、建物における出入口のドア１は壁等と一体の出入口枠３にピボットヒンジを介して取り付けられる。このピボットヒンジのうち上側のピボットヒンジは、次のような構成のピボット軸操作装置を備えている。
【００１０】
図１乃至図８に示すように、このピボット軸操作装置は、出入口のドア１に形成されたピボット穴２と、出入口枠３に固定された固定体４と、固定体４側からピボット穴２に対し出入可能なピボット軸５と、ピボット軸５をスライド自在に支持する固定体４に形成されたスライド穴６と、ピボット軸５に連結される固定体４に支持されたレバー７と、固定体４の内側に螺進するときにレバー７を介しピボット軸５をピボット穴２内に突出させ固定体４の外側に螺進するときにレバー７を介しピボット軸５をピボット穴２外に離脱させる固定体４に螺合したレバー操作ネジ８とを具備する。
【００１１】
ピボット穴２は、図１に示すように、ピボット軸５に対して回動可能に支持する軸受の穴としてドア１の上端に形成される。ドア１の下側にも同様なピボット軸等が設けられるが、これらは公知の構造であるからその詳細な説明は省略する。
【００１２】
図１乃至図５に示すように、固定体４は略長方形の板材で形成される。この固定体４は、出入口枠３におけるドア１の上縁に対向する面に固定ネジ等の所望の固定手段により固定される。出入口枠３の固定体４よりも上側には、このピボット軸５の操作装置を収納するための空洞が設けられている。
【００１３】
図１乃至図５に示すように、ピボット軸５は丸棒等の棒材で形成される。固定体４にはピボット軸５がドア１側に向かってスライドするスライド穴６が筒体１０によって付与される。固定体４には嵌合穴が形成され、この嵌合穴に筒体１０が出入口枠３側から嵌め込まれ、固定体４と一体化される。ピボット軸５はスライド穴６内を固定体４に対し垂直方向にスライドし、固定体４の下面から出没することでピボット穴２に対し出入する。
【００１４】
図１乃至図５に示すように、レバー７は固定体４の上方をその長さ方向に沿って伸び、固定体４に設けられたブラケット１１に水平軸１２を介して上下方向に回動可能に支持される。レバー７の水平軸１２を中心にした片側は筒体１０の方に伸び、その細い棒状の先端が筒体１０の側面に形成された縦溝１３を筒体１０内へと貫通し、ピボット軸５の側面に形成された横穴１４内に入り込む。このため、レバー７が水平軸１２を支点にして上下に回動すると、ピボット軸５がスライド穴６内を上下にスライドする。
【００１５】
図５及び図６に示すように、レバー操作ネジ８は固定体４を上下に貫通するように設けられ、その上端がレバー７における水平軸１２を中心にした他の片側に玉継手１７を介し連結されている。レバー操作ネジ８のネジ軸８ａの雄ネジは固定体４に垂直に形成されたネジ穴８ｂの雌ネジに螺合している。ネジ軸８ａの下端にはねじ回し用ドライバ等の工具（図示せず）を挿入するための溝８ｃが形成される。溝８ｃに工具を挿入してレバー操作ネジ８を固定体４の内側に螺進するように回すと、レバー７が水平軸１２の回りを反時計方向に回動し、ピボット軸５をピボット穴２に侵入させる。レバー操作ネジ８が固定体４の外側に螺進するようにレバー操作ネジ８を逆方向に回すと、レバー７が水平軸１２の回りを時計方向に回動し、ピボット軸５をピボット穴２から離脱させる。
【００１６】
このピボット軸操作装置は、レバー操作ネジ８の操作によりレバー７を介しピボット軸５をピボット穴２内に突出させたときにレバー操作ネジ８を当該位置にロックするロック手段を備える。
【００１７】
すなわち、図２乃至図６に示すように、このロック手段は、固定体４上におけるレバー操作ネジ８の近傍に配置されたロック片３０と、ロック片３０をロック位置とアンロック位置との間で切換え操作する操作軸３１とを具備する。
【００１８】
操作軸３１は、固定体４上にレバー操作ネジ８と平行に穿設された軸穴３２に回動可能に支持される。操作軸３１の固定体４を上方向に貫通した箇所には、ロック片３０が固定される。
【００１９】
ロック片３０は、レバー操作ネジ８がレバー７を介しピボット軸５をピボット穴２内に突出させたときに、レバー操作ネジ８に形成されたネジ溝より深い環状溝３８に入り込み得るように形成される。具体的には、ロック片３０は環状溝３８に合致する湾曲縁を備えたフック状に形成される。レバー操作ネジ８から環状溝３８を省略し、ロック片３０をネジ溝と係合させることによりレバー操作ネジ８をロックするようにしてもよい。操作軸３１が約６０度回動操作されると、ロック片３０が図４及び図７に示すアンロック位置から図２及び図３に示すロック位置へと回動し上記環状溝３８に入り込む。これにより、レバー操作ネジ８がロックされて螺進退することができず、従ってピボット軸５を離脱操作する方向にレバー操作ネジ８を回すことが出来ない。ロック片３０が上記環状溝３８から離脱するように操作軸３１を回すと、レバー操作ネジ８がアンロックされ螺進退可能になる。
【００２０】
このピボット軸操作装置は、ロック手段をロック状態とアンロック状態との間で切換え操作する操作レバー３９を備え、ロック状態時にこの操作レバー３９でレバー操作ネジ８の頭部を遮蔽するようになっている。
【００２１】
すなわち、図６乃至図８に示すように、操作軸３１における固定体４を下方に貫通した箇所に操作レバー３９が固着される。操作レバー３９を持って操作軸３１を回すことができるので、ロック片３０のロック及びアンロック操作が簡易化される。操作レバー３９は板状に形成され、操作レバー３９を持ってロック片３０をロック位置へと回すように操作すると図８に示すようにレバー操作ネジ８の頭部を遮蔽する位置へと回動する。これにより、レバー操作ネジ８の誤操作が防止される。操作レバー３９を持ってロック片３０をアンロック位置へと回すように操作すると図７に示すようにレバー操作ネジ８の頭部から離脱する。これにより、レバー操作ネジ８の操作が可能になる。
【００２２】
図５乃至図８に示すように、固定体４のドア１に対向する面には化粧板１８が必要に応じて取り付けられる。化粧板１８は止めネジ１９により固定体４に固定され、固定体４から覗く筒体１０の端面、ブラケット１１の切り出し部等を遮蔽する。化粧板１８には、操作軸３１の軸穴３２とレバー操作ネジ８のネジ穴８ｂの双方に連通する覗き穴２１が設けられ、この覗き穴２１から操作軸３１とレバー操作ネジ８とが露出する。また、覗き穴２１は操作レバー３９の回動範囲に対応してセクタ状に形成され、この覗き穴２１内で操作レバー３９が回動操作される。
【００２３】
次に、上記構成のピボット軸操作装置の作用を説明する。
【００２４】
ドア１を出入口枠３に取り付ける場合、化粧板１８の覗き穴２１から露出する操作レバー３９を図８に示すロック位置から図７に示すアンロック位置へと回動操作し、ロック片３０を図３に示すロック位置から図４に示すアンロック位置に切り替える。これにより、レバー操作ネジ８の溝８ｃが露出する。続いてレバー操作ネジ８の溝８ｃにドライバ等の工具を挿入し、レバー操作ネジ８を固定体４の外側へと螺進させる。これにより、図５中、レバー７が水平軸１２の回りを時計方向に回動し、ピボット軸５を押し上げる。ピボット軸５はスライド穴６に案内されて固定体４の上方へスライドし、スライド穴内に引っ込む。
【００２５】
次いで、ドア１の下側のピボット軸をピボット穴に挿入した後、ドア１の上側のピボット穴２をピボット軸５のスライド穴６に臨ませる。続いてレバー操作ネジ８の溝８ｃにドライバ等の工具を挿入し、レバー操作ネジ８を固定体４の内側へと螺進させる。これにより、図５に示すようにレバー７が水平軸１２の回りを反時計方向に回動し、ピボット軸５を下方へ押し下げる。ピボット軸５はスライド穴６に案内されて固定体４の下方へ突出し、ドア１の上側のピボット穴２内へと侵入する。
【００２６】
その後、操作レバー３９をアンロック位置からロック位置へと回動操作し、ロック片３０をレバー操作ネジ８の環状溝３８内に侵入させてレバー操作ネジ８をロックする。また、操作レバー３９は同時にレバー操作ネジ８の頭部を遮蔽する。これにより、レバー操作ネジ８の誤操作が防止される。
【００２７】
ドア１の修理、保守、点検等に際しドア１を出入口枠３から外すには、操作レバー３９をロック位置からアンロック位置に回してロック片３０をレバー操作ネジ８の環状溝３８外に離脱させる。
【００２８】
続いてレバー操作ネジ８の溝８ｃにドライバ等の工具を挿入し、レバー操作ネジ８を固定体４の外側へと螺進させる。これにより、レバー７が水平軸１２の回りを時計方向に回動し、ピボット軸５を押し上げ、ピボット軸５はスライド穴６に案内されて固定体４の上方へスライドし、スライド穴内に引っ込む。ドア１はピボット軸５による拘束から解かれ、出入口枠３から取り外し可能になる。
＜実施の形態２＞
この実施の形態２におけるピボット軸操作装置は、実施の形態１のものと略同様な構成を有するが、図９乃至図１３に示すように、実施の形態１とは異なる構成のロック手段を備える。
【００２９】
このロック手段は、レバー７下における固定体４上に配置されたスライドバー４０と、スライドバー４０の一端に設けられたロック片４１と、スライドバー４０の他端に設けられた操作片１５と、ロック片４１をロック側に常時付勢する弾性体としてのロックバネ２６とを具備する。
【００３０】
スライドバー４０は細長い板状に形成されており、二股状に起立するブラケット１１間に挿入され、ブラケット１１間に掛け渡された押えピン４２により固定体上に拘束される。スライドバー４０はブラケット１１と押えピン４２により案内されて固定体４の長手方向にスライド可能である。
【００３１】
ロック片４１は、レバー操作ネジ８がレバー７を介しピボット軸５をピボット穴２内に突出させたときに、レバー操作ネジ８に形成されたネジ溝より深い環状溝３８に入り込み得るように形成される。具体的には、ロック片４１はレバー操作ネジ８が挿入される穴を中心に有した板体として形成され、環状溝３８に嵌り込み得る係合縁を穴内に有する。ロック片４１は実施の形態１の場合と同様にフック状に形成してもよい。レバー操作ネジ８から環状溝３８を省略し、ロック片４１をネジ溝と係合させることによりレバー操作ネジ８をロックするようにしてもよい。スライドバー４０が一方向にスライドすると、ロック片４１が図１１に示すアンロック位置から図９及び図１０に示すロック位置へと移動し上記環状溝３８に入り込む。これにより、レバー操作ネジ８がロックされて螺進退することができず、従ってピボット軸５を離脱操作する方向にレバー操作ネジ８を回すことが出来ない。スライドバー４０が他方向にスライドすると、ロック片４１が上記環状溝３８から離脱し、レバー操作ネジ８がアンロックされて螺進退可能になる。
【００３２】
図１２に示すように、操作片１５は固定体４に穿設された窓穴１６内に突出する。操作片１５を窓穴１６内で往復動させるとスライドバー４０を介してロック片４１がロック位置とアンロック位置との間を移動する。
【００３３】
ロックバネ２６は例えばコイル捩りバネであり、固定体４とスライドバー４０との間に掛け渡され、スライドバー４０を介してロック片４１をロック方向へと常時付勢する。ロックバネ２６の付勢力により、図１０に示すようにロック片４１がレバー操作ネジ８の環状溝３８内に入り込むロック位置に停止してレバー操作ネジ８をロックする。ロックバネ２６の付勢力に抗して操作片１５を操作すると、ロック片４１はレバー操作ネジ８の環状溝３８から離脱し、レバー操作ネジ８をアンロックする。また、レバー操作ネジ８を固定体４の内側へ螺進させると、ロックバネ２６の弾性作用によりロック片４１が環状溝３８内に自動的に嵌り込む。従って、ロックバネ２６はロック手段をアンロック状態からロック状態へと自動的に移行させる弾性体として機能する。
【００３４】
なお、ロック手段をアンロック状態からロック状態へと自動的に移行させる機能をロックバネ２６に与える必要がない場合は、ロックバネ２６を反転バネとして設け、ロック片４１をロック位置とアンロック位置との二位置間で振り分けて付勢するようにしてもよい。
【００３５】
このピボット軸操作装置は、上記ロック手段がロック状態とアンロック状態のいずれにあるかを表示する表示手段を備える。
【００３６】
すなわち、図１３に示すように、ロック手段の操作片１５が挿入される窓穴１６の縁にはレバー操作ネジ８のロックを意味する「固定」の文字３６が刻印、印刷等により施されている。また、窓穴１６の反対側の縁にはレバー操作ネジ８のアンロックを意味する「操作」の文字３７が刻印、印刷等により施されている。これらの文字３６，３７は固定体４の下面に表示してもよいが、具体的には後述する化粧板１８の下面に表示される。ロック手段である操作片１５がインジケータの指針として「固定」又は「操作」を指示することにより、レバー操作ネジ８がロック状態にあるかアンロック状態にあるかがドア１を開けた状態において固定体４の下方から認識される。作業者はレバー操作ネジ８がロック状態にあるかアンロック状態にあるかを直ちに判別して速やかにロック状態とアンロック状態の切換えを行うことができる。ロック又はアンロックの表示は「固定」又は「操作」の文字３６，３７に限らず、その他の文字、図形、記号等で行うこともできる。
【００３７】
図９乃至図１３に示すように、固定体４のドア１に対向する面には化粧板１８が必要に応じて取り付けられる。化粧板１８は止めネジ１９により固定体４に固定され、固定体４から覗く筒体１０の端面、ブラケット１１の切り出し部等を遮蔽する。化粧板１８には、筒体１０のスライド穴６に連通するガイド穴２０、操作片１５の窓穴１６に連通する覗き穴２１、レバー操作ネジ８が貫通する貫通穴２２が夫々設けられ、各穴からピボット軸５、操作片１５、レバー操作ネジ８が露出する。
【００３８】
次に、上記構成のピボット軸操作装置の作用を説明する。
【００３９】
ドア１を出入口枠３に取り付ける場合、図１３に示すように窓穴１６から露出する操作片１５を「固定」側から「操作」側に操作してスライドバー４０を介しロック片４１を図１０に示すロック位置から図１１に示すアンロック位置に切り替える。続いてレバー操作ネジ８の溝８ｃにドライバ等の工具を挿入し、レバー操作ネジ８を固定体４の外側へと螺進させる。これにより、図１２中、レバー７が水平軸１２の回りを時計方向に回動し、ピボット軸５を押し上げる。ピボット軸５はスライド穴６に案内されて固定体４の上方へスライドし、スライド穴内に引っ込む。
【００４０】
次いで、ドア１の下側のピボット軸をピボット穴に挿入した後、ドア１の上側のピボット穴２をピボット軸５のスライド穴６に臨ませる。続いてレバー操作ネジ８の溝８ｃにドライバ等の工具を挿入し、レバー操作ネジ８を固定体４の内側へと螺進させる。これにより、図１２に示すようにレバー７が水平軸１２の回りを反時計方向に回動し、ピボット軸５を下方へ押し下げる。ピボット軸５はスライド穴６に案内されて固定体４の下方へ突出し、ドア１の上側のピボット穴２内へと侵入する。
【００４１】
図１に示すように、ピボット軸５がピボット穴２内に適正に入り込むと、レバー操作ネジ８のネジ軸８ａは固定体４の内側へと没し、ロックバネ２６の付勢力によりロック片４１がレバー操作ネジ８の環状溝３８内に入り込みレバー操作ネジ８をロックする。
【００４２】
また、ロック片４１がロック位置へと移動すると同時に操作片１５が図１３において「操作」側から「固定」側に復帰し、ピボット軸５がピボット穴２に適正に挿入され、かつレバー操作ネジ８がロックされたことを表示する。
【００４３】
ドア１の修理、保守、点検等に際しドア１を出入口枠３から外すには、図１３に示すように窓穴１６から露出する操作片１５を「固定」側から「操作」側に操作してロック片４１を図１０に示すロック位置から図１１に示すアンロック位置にスライドさせる。
【００４４】
続いてレバー操作ネジ８の溝８ｃにドライバ等の工具を挿入し、レバー操作ネジ８を固定体４の外側へと螺進させる。これにより、レバー７が水平軸１２の回りを時計方向に回動し、ピボット軸５を押し上げ、ピボット軸５はスライド穴６に案内されて固定体４の上方へスライドし、スライド穴６内に引っ込む。ドア１はピボット軸５による拘束から解かれ、出入口枠３から取り外し可能になる。
＜実施の形態３＞
この実施の形態３におけるピボット軸の操作装置は実施の形態２のものと同様な構成を備えるが、さらにピボット軸５がピボット穴２に完全に挿入されたことを表示するためのインジケータ部材であるインジケータキャップ２３を備えている。
【００４５】
すなわち、図１４に示すように、レバー操作ネジ８が固定体４内に没入した状態において、円盤状のインジケータキャップ２３がネジ穴８ｂの開口部に装着される。インジケータキャップ２３はドア１の上縁と出入口枠３との隙間に収まり、従ってドア１はインジケータキャップ２３に干渉されることなく開閉可能である。インジケータキャップ２３がネジ穴８ｂの開口部に装着されていることでドア１のピボット穴２にピボット軸５が適正に挿入されていることが外部から視認される。
【００４６】
インジケータキャップ２３は化粧板１８の下から化粧板１８の貫通穴２２の縁に嵌め込まれ固定される。この嵌め込みを円滑に行うことができるように、望ましくはインジケータキャップ２３に切欠２９が形成されバネ性が付与される。貫通穴２２にはインジケータキャップ２３をより強固に保持するため、逆テーパ面を形成してもよい。また、化粧板１８が省略される場合等においてはインジケータキャップ２３を固定体４のネジ穴８ｂに嵌め込むようにして固定体４に直に取り付けても良い。インジケータキャップ２３の存在を視認しやすくするため、インジケータキャップ２３に彩色しておいてもよい。
【００４７】
インジケータキャップ２３の中央には、望ましくはレバー操作ネジ８のネジ軸８ａよりも小径の工具挿入穴２４が形成される。これにより、工具を工具挿入穴２４からネジ穴８ｂ内に挿入してレバー操作ネジ８の溝８ｃに係止し、レバー操作ネジ８を緩めると、ピボット軸５をピボット穴２から筒体１０内へと抜き取ると同時にインジケータキャップ２３を固定体４から除去することができる。このため、インジケータキャップ２３の固定体４への残留が防止され誤表示が防止される。インジケータキャップ２３はドア１が出入口枠３に装着された後、レバー操作ネジ８のネジ穴８ｂの開口部に再度装着される。
【００４８】
工具挿入穴２４はレバー操作ネジ８の状態を見るための覗き穴としても機能する。覗き穴からレバー操作ネジ８の存否又はレバー操作ネジ８の下端の位置を観察することで、ピボット軸５とピボット穴２との係合状態の良否を判別することができる。
＜実施の形態４＞
この実施の形態４におけるピボット軸操作装置は、実施の形態１のものと略同様な構成を有するが、実施の形態１とは異なる構成のロック手段を備える。
【００４９】
すなわち、図１５乃至図２０に示すように、このロック手段は、固定体４上におけるレバー７の近傍に配置されたロックレバー２５と、ロックレバー２５をロック位置へと常時付勢するロックバネ２６と、ロックレバー２５をロック位置とアンロック位置との間で切換え操作する操作片１５とを具備する。
【００５０】
ロックレバー２５は、固定体４上におけるブラケット１１の近傍に立設された枢軸２８に水平面内で回動可能に支持される。ロックレバー２５の一端からはレバー操作ネジ８に対し係脱しうるロック片２７が突出する。
【００５１】
ロック片２７は、レバー操作ネジ８がレバー７を介しピボット軸５をピボット穴２内に突出させたときに、レバー操作ネジ８に形成されたネジ溝より深い環状溝３８に入り込み得るように形成される。具体的には、ロック片２７は環状溝３８に合致する湾曲縁を備えたフック状に形成される。レバー操作ネジ８から環状溝３８を省略し、ロック片２７をネジ溝と係合させることによりレバー操作ネジ８をロックするようにしてもよい。ロックレバー２５が約３０度回動操作されると、ロック片２７が図１７に示すアンロック位置から図１５及び図１６に示すロック位置へと回動し上記環状溝３８に入り込む。これにより、レバー操作ネジ８がロックされて螺進退することができず、従ってピボット軸５を離脱操作する方向にレバー操作ネジ８を回すことが出来ない。ロック片２７が上記環状溝３８から離脱するように操作片１５を操作しロックレバー２５を回すと、レバー操作ネジ８がアンロックされ螺進退可能になる。
【００５２】
ロックバネ２６は例えば捩りコイルバネであり、上記枢軸２８に巻回され、両端がブラケット１１とロックレバー２５とに係止される。これにより、ロックレバー２５はそのロック片２７がレバー操作ネジ８の環状溝３８と係合するロック位置の方へ常時付勢される。ロックバネ２６の付勢力に抗して操作片１５を操作すると、ロック片２７はレバー操作ネジ８の環状溝３８から離脱し、レバー操作ネジ８をアンロックする。また、レバー操作ネジ８を固定体４の内側へ螺進させると、ロックバネ２６の弾性作用によりロック片２７が環状溝３８内に自動的に嵌り込む。従って、ロックバネ２６はロック手段をアンロック状態からロック状態へと自動的に移行させる弾性体として機能する。
【００５３】
なお、ロック手段をアンロック状態からロック状態へと自動的に移行させる機能をロックバネ２６に与える必要がない場合は、ロックバネ２６を反転バネとして設け、ロック片をロック位置とアンロック位置との二位置間で振り分けて付勢するようにしてもよい。
【００５４】
図２０に示すように、操作片１５は固定体４に穿設された窓穴１６内に突出する。操作片１５を窓穴１６内で操作するとロックレバー２５を介してロック片２７がロック位置とアンロック位置との間を移動する。
【００５５】
このピボット軸操作装置は、上記ロック手段がロック状態とアンロック状態のいずれにあるかを表示する表示手段を備える。
【００５６】
すなわち、図２０に示すように、ロック手段の操作片１５が接触して停止する窓穴１６の縁にはレバー操作ネジ８のロックを意味する「固定」の文字３６が刻印、印刷等により施されている。窓穴１６の反対側の縁にはレバー操作ネジ８のアンロックを意味する「操作」の文字３７が刻印、印刷等により施されている。これらの文字３６，３７は固定体４の下面に表示してもよいが、具体的には後述する化粧板１８の下面に表示される。ロック手段である操作片１５がインジケータの指針として「固定」又は「操作」を指示することにより、レバー操作ネジ８がロック状態にあるかアンロック状態にあるかがドア１を開けた状態において固定体４の下方から認識される。作業者はレバー操作ネジ８がロック状態にあるかアンロック状態にあるかを直ちに判別して速やかにロック状態とアンロック状態の切換えを行うことができる。「固定」又は「操作」の文字３６，３７によるロック・アンロック表示はその他の文字、図形、記号等で行うこともできる。
【００５７】
図１５乃至図２０に示すように、固定体４のドア１に対向する面には化粧板１８が必要に応じて取り付けられる。化粧板１８は止めネジ１９により固定体４に固定され、固定体４から覗く筒体１０の端面、ブラケット１１の切り出し部等を遮蔽する。化粧板１８には、筒体１０のスライド穴６に連通するガイド穴２０、操作片１５の窓穴１６に連通する覗き穴２１、レバー操作ネジ８が貫通する貫通穴２２が夫々設けられ、各穴からピボット軸５、操作片１５、レバー操作ネジ８が露出する。
【００５８】
次に、上記構成のピボット軸操作装置の作用を説明する。
【００５９】
ドア１を出入口枠３に取り付ける場合、図２０に示すように窓穴１６から露出する操作片１５を「固定」側から「操作」側に操作してロックレバー２５を図１６に示すロック位置から図１７に示すアンロック位置に切り替える。続いてレバー操作ネジ８の溝８ｃにドライバ等の工具を挿入し、レバー操作ネジ８を固定体４の外側へと螺進させる。これにより、図１８中、レバー７が水平軸１２の回りを時計方向に回動し、ピボット軸５を押し上げる。ピボット軸５はスライド穴６に案内されて固定体４の上方へスライドし、スライド穴内に引っ込む。
【００６０】
次いで、ドア１の下側のピボット軸をピボット穴に挿入した後、ドア１の上側のピボット穴２をピボット軸５のスライド穴６に臨ませる。続いてレバー操作ネジ８の溝８ｃにドライバ等の工具を挿入し、レバー操作ネジ８を固定体４の内側へと螺進させる。これにより、図１８に示すようにレバー７が水平軸１２の回りを反時計方向に回動し、ピボット軸５を下方へ押し下げる。ピボット軸５はスライド穴６に案内されて固定体４の下方へ突出し、ドア１の上側のピボット穴２内へと侵入する。
【００６１】
図１に示すように、ピボット軸５がピボット穴２内に適正に入り込むと、レバー操作ネジ８のネジ軸８ａは固定体４の内側へと没する。ロックレバー２５はロックバネ２６によりロック方向に常時付勢されているので、レバー操作ネジ８のネジ軸８ａは固定体４の内側へと没すると同時にロックレバー２５が枢軸２８を支点に回動し、図１６に示すごとくロック片２７が環状溝３８内に入り込みレバー操作ネジ８をロックする。
【００６２】
また、ロックレバー２５がロック位置へと回動すると、同時に操作片１５が図２０において「操作」側から「固定」側に復帰し、ピボット軸５がピボット穴２に適正に挿入され、かつレバー操作ネジ８がロックされたことを表示する。
【００６３】
ドア１の修理、保守、点検等に際しドア１を出入口枠３から外すには、図２０に示すように窓穴１６から露出する操作片１５を「固定」側から「操作」側に操作してロックレバー２５を図１６に示すロック位置から図１７に示すアンロック位置に切り替える。
【００６４】
続いてレバー操作ネジ８の溝８ｃにドライバ等の工具を挿入し、レバー操作ネジ８を固定体４の外側へと螺進させる。これにより、レバー７が水平軸１２の回りを時計方向に回動し、ピボット軸５を押し上げ、ピボット軸５はスライド穴６に案内されて固定体４の上方へスライドし、スライド穴６内に引っ込む。ドア１はピボット軸５による拘束から解かれ、出入口枠３から取り外し可能になる。
【００６５】
【発明の効果】
請求項１に係る発明によれば、出入口のドアに形成されたピボット穴と、出入口枠に固定された固定体と、固定体側からピボット穴に対し出入可能なピボット軸と、ピボット軸をスライド自在に支持する固定体に形成されたスライド穴と、ピボット軸に連結される固定体に支持されたレバーと、固定体の内側に螺進するときにレバーを介しピボット軸をピボット穴内に突出させ固定体の外側に螺進するときにレバーを介しピボット軸をピボット穴外に離脱させる固定体に螺合したレバー操作ネジとを具備してなるピボット軸操作装置において、レバー操作ネジの操作によりレバーを介しピボット軸をピボット穴内に突出させたときにレバー操作ネジを当該位置にロックするロック手段を備え、このロック手段をロック状態とアンロック状態との間で切換え操作する操作レバーを備え、ロック状態時にこの操作レバーでレバー操作ネジの頭部を遮蔽するようにしたことから、ピボットヒンジが結合状態にあるときにレバーをロックし、レバー操作ネジの誤操作を防止してピボット軸のピボット穴からの脱け出しを確実に防止することができる。また、レバー操作ネジの誤操作を確実に防止することができる。
【００６６】
請求項２に係る発明によれば、出入口のドアに形成されたピボット穴と、出入口枠に固定された固定体と、固定体側からピボット穴に対し出入可能なピボット軸と、ピボット軸をスライド自在に支持する固定体に形成されたスライド穴と、ピボット軸に連結される固定体に支持されたレバーと、固定体の内側に螺進するときにレバーを介しピボット軸をピボット穴内に突出させ固定体の外側に螺進するときにレバーを介しピボット軸をピボット穴外に離脱させる固定体に螺合したレバー操作ネジとを具備してなるピボット軸操作装置において、レバー操作ネジの操作によりレバーを介しピボット軸をピボット穴内に突出させたときにレバー操作ネジを当該位置にロックするロック手段を備え、上記レバー操作ネジを上記固定体の内側へ螺進させた時にロック手段をアンロック状態からロック状態へと自動的に移行させる弾性体を備えたことから、レバー操作ネジを固定体の内側に螺進させる際にロック手段が弾性体により自動的にロック位置に復帰し、従って作業者によるロックのし忘れを防止することができる。
【００６７】
請求項６の発明によれば、請求項１乃至請求項５のいずれかに記載のピボット軸操作装置において、ロック手段がロック状態とアンロック状態のいずれにあるかを表示する表示手段を備えることから、ロック手段がロック状態とアンロック状態のいずれにあるかを外部から直ちに視認してロック・アンロック操作をすることができ、ドアの取付施工、保守点検等を速やかに行うことができる。
【図面の簡単な説明】
【図１】本発明の実施の形態１に係るピボット軸操作装置を備えたピボットヒンジをドア及び出入口枠と共に示す立面図である。
【図２】図１中、ＩＩ−ＩＩ線矢視図であり、ロック状態にあるピボット軸操作装置を示す。
【図３】図２中、レバーの一部を除いて示す平面図である。
【図４】アンロック状態で示す図３と同様な平面図である。
【図５】図２中、Ｖ−Ｖ線矢視断面図である。
【図６】図２中、ＶＩ−ＶＩ線矢視断面図である。
【図７】ピボット軸操作装置をアンロック状態で示す底面図である。
【図８】ピボット軸操作装置をロック状態で示す部分切欠底面図である。
【図９】本発明の実施の形態２に係るピボット軸操作装置をロック状態で示す平面図である。
【図１０】図９中、レバーの一部を除いて示す平面図である。
【図１１】アンロック状態で示す図１０と同様な平面図である。
【図１２】図９中、ＸＩＩ−ＸＩＩ線矢視断面図である。
【図１３】図１２中、ＸＩＩＩ線矢視部分切欠図である。
【図１４】（Ａ）は本発明の実施の形態３に係るピボット軸操作装置の要部をロック状態で示す部分断面図、（Ｂ）はインジケータの底面図である。
【図１５】本発明の実施の形態４に係るピボット軸操作装置をロック状態で示す平面図である。
【図１６】図１５中、レバーの一部を除いて示す平面図である。
【図１７】アンロック状態で示す図１６と同様な平面図である。
【図１８】図１５中、ＸＶＩＩＩ−ＸＶＩＩＩ線矢視断面図である。
【図１９】図１５中、ＸＩＸ方向矢視図である。
【図２０】図１８中、ＸＸ線矢視部分切欠底面図である。
【符号の説明】
１…ドア
２…ピボット穴
３…出入口枠
４…固定体
５…ピボット軸
６…スライド穴
７…レバー
８…レバー操作ネジ
２５…ロックレバー
２６…捩りコイルバネ
３０，４１…ロック片
３６，３７…文字
３９…操作レバー
【図１】
0003768155.tif 000002
【図２】
0003768155.tif 000003
【図３】
0003768155.tif 000004
【図４】
0003768155.tif 000005
【図５】
0003768155.tif 000006
【図６】
0003768155.tif 000007
【図７】
0003768155.tif 000008
【図８】
0003768155.tif 000009
【図９】
0003768155.tif 000010
【図１０】
0003768155.tif 000011
【図１１】
0003768155.tif 000012
【図１２】
0003768155.tif 000013
【図１３】
0003768155.tif 000014
【図１４】
0003768155.tif 000015
【図１５】
0003768155.tif 000016
【図１６】
0003768155.tif 000017
【図１７】
0003768155.tif 000018
【図１８】
0003768155.tif 000019
【図１９】
0003768155.tif 000020
【図２０】
0003768155.tif 000021